【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
所定の判別を実行可能な判別手段と、
その判別手段の判別結果が特定の判別結果であることに基づいて特典遊技を実行可能な特典遊技実行手段と、
その特典遊技実行手段により実行される前記特典遊技の種別として、複数の特典遊技種別の中から一の特典遊技種別を設定可能な種別設定手段と、
前記特典遊技実行手段により実行される前記特典遊技として、遊技球が入球可能な第１状態と、その第１状態よりも遊技球が入球し難い第２状態と、に可変される可変入球手段と、を有する遊技機において、
前記可変入球手段の内部に遊技球が残存している状態で所定条件が成立したことを判定可能な判定手段と、
その判定手段により前記所定条件の成立が判定されたことに基づいて所定の報知を実行可能な報知手段と、を有し、
前記遊技機は、前記種別設定手段により第１特典遊技種別が設定された場合よりも、前記第１特典遊技種別とは異なる第２特典遊技種別が設定された場合の方が、前記報知手段による前記報知が実行され易く構成されていることを特徴とする遊技機。
【請求項２】
前記判定手段は、前記種別設定手段により設定される前記特典遊技種別に応じて異なるタイミングで前記所定条件が成立したことを判定可能であることを特徴とする請求項１記載の遊技機。
【請求項３】
前記可変入球手段に入球した遊技球を、前記可変入球手段の外部へと排出する排出部を有し、
前記特典遊技実行手段は、前記第１特典遊技種別に対応する前記可変入球手段に入球した遊技球が第１期間で前記排出部から遊技球が排出され得る第１特典遊技と、前記第２特典遊技種別に対応する前記可変入球手段に入球した遊技球が前記第１期間よりも長い第２期間で前記排出部から遊技球が排出され得る第２特典遊技と、を少なくとも実行可能であり、
前記判定手段は、前記第１特典遊技が実行される場合よりも、前記第２特典遊技が実行される場合のほうが、前記所定条件が成立したことを判定する判定タイミングを遅らせることが可能であることを特徴とする請求項２記載の遊技機。
【請求項４】
前記可変入球手段に入球した遊技球が、前記排出部から排出されるよりも前に通過可能な特定領域と、
その特定領域を遊技球が通過した場合に、前記判定タイミングを切り替える切替手段と、を有することを特徴とする請求項３記載の遊技機。
【手続補正２】
【補正対象書類名】明細書
【補正対象項目名】０００４
【補正方法】変更
【補正の内容】
【０００４】
このような遊技機において、特定の入球口内に遊技球が残存している状態における遊技状況の報知を効率良く実行することが求められていた。
【手続補正３】
【補正対象書類名】明細書
【補正対象項目名】０００５
【補正方法】変更
【補正の内容】
【０００５】
本発明は、上記例示した問題点等を解決するためになされたものであり、当たり遊技中における遊技状況の報知を効率良く実行することができる遊技機を提供することを目的とする。
【手続補正４】
【補正対象書類名】明細書
【補正対象項目名】０００６
【補正方法】変更
【補正の内容】
【０００６】
この目的を達成するために請求項１記載の遊技機は、所定の判別を実行可能な判別手段と、その判別手段の判別結果が特定の判別結果であることに基づいて特典遊技を実行可能な特典遊技実行手段と、その特典遊技実行手段により実行される前記特典遊技の種別として、複数の特典遊技種別の中から一の特典遊技種別を設定可能な種別設定手段と、前記特典遊技実行手段により実行される前記特典遊技として、遊技球が入球可能な第１状態と、その第１状態よりも遊技球が入球し難い第２状態と、に可変される可変入球手段と、を有し、前記可変入球手段の内部に遊技球が残存している状態で所定条件が成立したことを判定可能な判定手段と、その判定手段により前記所定条件の成立が判定されたことに基づいて所定の報知を実行可能な報知手段と、を有し、前記遊技機は、前記種別設定手段により第１特典遊技種別が設定された場合よりも、前記第１特典遊技種別とは異なる第２特典遊技種別が設定された場合の方が、前記報知手段による前記報知が実行され易く構成されている。
【手続補正５】
【補正対象書類名】明細書
【補正対象項目名】０００７
【補正方法】変更
【補正の内容】
【０００７】
請求項２記載の遊技機は、請求項１記載の遊技機において、前記判定手段は、前記種別設定手段により設定される前記特典遊技種別に応じて異なるタイミングで前記所定条件が成立したことを判定可能である。
【手続補正６】
【補正対象書類名】明細書
【補正対象項目名】０００８
【補正方法】変更
【補正の内容】
【０００８】
請求項３記載の遊技機は、請求項２記載の遊技機において、前記可変入球手段に入球した遊技球を、前記可変入球手段の外部へと排出する排出部を有し、前記特典遊技実行手段は、前記第１特典遊技種別に対応する前記可変入球手段に入球した遊技球が第１期間で前記排出部から遊技球が排出され得る第１特典遊技と、前記第２特典遊技種別に対応する前記可変入球手段に入球した遊技球が前記第１期間よりも長い第２期間で前記排出部から遊技球が排出され得る第２特典遊技と、を少なくとも実行可能であり、前記判定手段は、前記第１特典遊技が実行される場合よりも、前記第２特典遊技が実行される場合のほうが、前記所定条件が成立したことを判定する判定タイミングを遅らせることが可能である。
【手続補正７】
【補正対象書類名】明細書
【補正対象項目名】０００９
【補正方法】変更
【補正の内容】
【０００９】
請求項４記載の遊技機は、請求項３記載の遊技機において、前記可変入球手段に入球した遊技球が、前記排出部から排出されるよりも前に通過可能な特定領域と、その特定領域を遊技球が通過した場合に、前記判定タイミングを切り替える切替手段と、を有する。
【手続補正８】
【補正対象書類名】明細書
【補正対象項目名】００１０
【補正方法】変更
【補正の内容】
【００１０】
請求項１記載の遊技機によれば、所定の判別を実行可能な判別手段と、その判別手段の判別結果が特定の判別結果であることに基づいて特典遊技を実行可能な特典遊技実行手段と、その特典遊技実行手段により実行される前記特典遊技の種別として、複数の特典遊技種別の中から一の特典遊技種別を設定可能な種別設定手段と、前記特典遊技実行手段により実行される前記特典遊技として、遊技球が入球可能な第１状態と、その第１状態よりも遊技球が入球し難い第２状態と、に可変される可変入球手段と、を有し、前記可変入球手段の内部に遊技球が残存している状態で所定条件が成立したことを判定可能な判定手段と、その判定手段により前記所定条件の成立が判定されたことに基づいて所定の報知を実行可能な報知手段と、を有し、前記遊技機は、前記種別設定手段により第１特典遊技種別が設定された場合よりも、前記第１特典遊技種別とは異なる第２特典遊技種別が設定された場合の方が、前記報知手段による前記報知が実行され易く構成されている。
【手続補正９】
【補正対象書類名】明細書
【補正対象項目名】００１１
【補正方法】変更
【補正の内容】
【００１１】
よって、遊技状況の報知を効率良く実行することができるという効果がある。
【手続補正１０】
【補正対象書類名】明細書
【補正対象項目名】００１２
【補正方法】変更
【補正の内容】
【００１２】
請求項２記載の遊技機によれば、請求項１記載の遊技機の奏する効果に加え、次の効果を奏するものである。即ち、前記判定手段は、前記種別設定手段により設定される前記特典遊技種別に応じて異なるタイミングで前記所定条件が成立したことを判定可能である。
【手続補正１１】
【補正対象書類名】明細書
【補正対象項目名】００１３
【補正方法】変更
【補正の内容】
【００１３】
よって、遊技状況の報知を効率良く実行することができるという効果がある。
【手続補正１２】
【補正対象書類名】明細書
【補正対象項目名】００１４
【補正方法】変更
【補正の内容】
【００１４】
請求項３記載の遊技機によれば、請求項２記載の遊技機の奏する効果に加え、次の効果を奏するものである。即ち、前記可変入球手段に入球した遊技球を、前記可変入球手段の外部へと排出する排出部を有し、前記特典遊技実行手段は、前記第１特典遊技種別に対応する前記可変入球手段に入球した遊技球が第１期間で前記排出部から遊技球が排出され得る第１特典遊技と、前記第２特典遊技種別に対応する前記可変入球手段に入球した遊技球が前記第１期間よりも長い第２期間で前記排出部から遊技球が排出され得る第２特典遊技と、を少なくとも実行可能であり、前記判定手段は、前記第１特典遊技が実行される場合よりも、前記第２特典遊技が実行される場合のほうが、前記所定条件が成立したことを判定する判定タイミングを遅らせることが可能である。
【手続補正１３】
【補正対象書類名】明細書
【補正対象項目名】００１５
【補正方法】変更
【補正の内容】
【００１５】
よって、遊技状況の報知を効率良く実行することができるという効果がある。
【手続補正１４】
【補正対象書類名】明細書
【補正対象項目名】００１６
【補正方法】変更
【補正の内容】
【００１６】
請求項４記載の遊技機によれば、請求項３記載の遊技機の奏する効果に加え、次の効果を奏するものである。即ち、前記可変入球手段に入球した遊技球が、前記排出部から排出されるよりも前に通過可能な特定領域と、その特定領域を遊技球が通過した場合に、前記判定タイミングを切り替える切替手段と、を有する。
【手続補正１５】
【補正対象書類名】明細書
【補正対象項目名】００１７
【補正方法】変更
【補正の内容】
【００１７】
よって、遊技状況の報知を効率良く実行することができるという効果がある。
【手続補正１６】
【補正対象書類名】明細書
【補正対象項目名】３５４３
【補正方法】変更
【補正の内容】
【３５４３】
遊技機Ａ１からＡ１０、Ｂ１からＢ１３、Ｃ１からＣ９、Ｄ１からＤ９、Ｅ１からＥ８、Ｆ１からＦ１０、Ｇ１からＧ８、Ｈ１からＨ１０、Ｉ１からＩ８、Ｊ１からＪ９、Ｋ１からＫ９、Ｌ１からＬ８、Ｍ１からＭ９、Ｎ１からＮ８、Ｏ１からＯ７、Ｐ１からＰ１０、Ｑ１からＱ９、Ｒ１からＲ９、Ｓ１からＳ８、Ｔ１からＴ８、Ｕ１からＵ１１、Ｖ１からＶ１１、Ｗ１からＷ９、Ｘ１からＸ１０、Ｙ１からＹ８、ＡＡ１からＡＡ６、ＡＢ１からＡＢ５、ＡＣ１からＡＣ７、ＢＡ１からＢＡ５、ＢＢ１からＢＢ５、ＢＣ１からＢＣ５、ＢＤ１からＢＤ５、ＢＥ１からＢＥ５のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、当たり遊技中に特定の入球口や特定領域に遊技球が入球することで、さらに当たり遊技等の特典付与が実行されるようにするものが提案されている（例えば、特許文献１：特開２０１１−０１０７４１号公報）。
このような遊技機において、遊技異常の判別を効率良く実行することが求められていた。
本技術的思想は、上記例示した問題点等を解決するためになされたものであり、遊技異常の判別を効率良く実行することができる遊技機を提供することを目的とする。
＜手段＞
この目的を達成するために技術的思想１の遊技機は、所定の判別を実行可能な判別手段と、その判別手段の判別結果が特定の判別結果であることに基づいて特典遊技を実行する特典遊技実行手段と、その特典遊技実行手段により実行される前記特典遊技の種別として、複数の特典遊技種別の中から一の特典遊技種別を設定する種別設定手段と、前記特典遊技実行手段により実行される前記特典遊技として、遊技球が入球可能な第１状態と、その第１状態よりも遊技球が入球し難い第２状態と、に可変される可変入球手段と、を有し、前記可変入球手段の内部に遊技球が残存している状態で所定条件が成立した場合に所定状態と判断する判断手段と、その判断手段により前記所定状態と判断されたことに基づいて所定の報知を実行可能な報知手段と、前記種別設定手段により設定される前記特典遊技種別に基づいて異なる前記所定条件を設定可能な条件設定手段と、を有するものである。
技術的思想２の遊技機は、技術的思想１記載の遊技機において、前記条件設定手段は、前記所定条件として、前記特典遊技種別に基づいて異なる判定タイミングを設定可能なものである。
技術的思想３の遊技機は、技術的思想２記載の遊技機において、前記可変入球手段に入球した遊技球を、前記可変入球手段の外部へと排出する排出部を有するものであり、前記特典遊技実行手段は、前記特典遊技の種別として所定の第１種別が設定された場合に前記可変入球手段に入球した遊技球が第１期間で前記排出部から遊技球が排出され得る第１特典遊技を実行し、前記第１種別とは異なる第２種別が設定された場合に前記可変入球手段に入球した遊技球が前記第１期間よりも長い第２期間で前記排出部から遊技球が排出され得る第２特典遊技を実行するものであり、前記条件設定手段は、前記第１特典遊技が実行される場合よりも、前記第２特典遊技が実行される場合のほうが、前記判定タイミングを遅らせて設定するものである。
技術的思想４の遊技機は、技術的思想３記載の遊技機において、前記可変入球手段に入球した遊技球が、前記排出部から排出されるよりも前に通過可能な特定領域と、その特定領域を遊技球が通過した場合に、前記所定条件を切り替える条件切替手段を有するものである。
＜効果＞
技術的思想１記載の遊技機によれば、所定の判別を実行可能な判別手段と、その判別手段の判別結果が特定の判別結果であることに基づいて特典遊技を実行する特典遊技実行手段と、その特典遊技実行手段により実行される前記特典遊技の種別として、複数の特典遊技種別の中から一の特典遊技種別を設定する種別設定手段と、前記特典遊技実行手段により実行される前記特典遊技として、遊技球が入球可能な第１状態と、その第１状態よりも遊技球が入球し難い第２状態と、に可変される可変入球手段と、を有し、前記可変入球手段の内部に遊技球が残存している状態で所定条件が成立した場合に所定状態と判断する判断手段と、その判断手段により前記所定状態と判断されたことに基づいて所定の報知を実行可能な報知手段と、前記種別設定手段により設定される前記特典遊技種別に基づいて異なる前記所定条件を設定可能な条件設定手段と、を有するものである。
よって、遊技異常の判別を効率良く実行することができるという効果がある。
技術的思想２記載の遊技機によれば、技術的思想１記載の遊技機の奏する効果に加え、次の効果を奏するものである。即ち、前記条件設定手段は、前記所定条件として、前記特典遊技種別に基づいて異なる判定タイミングを設定可能なものである。
よって、遊技異常の判別を効率良く実行することができるという効果がある。
技術的思想３記載の遊技機によれば、技術的思想２記載の遊技機の奏する効果に加え、次の効果を奏するものである。即ち、前記可変入球手段に入球した遊技球を、前記可変入球手段の外部へと排出する排出部を有するものであり、前記特典遊技実行手段は、前記特典遊技の種別として所定の第１種別が設定された場合に前記可変入球手段に入球した遊技球が第１期間で前記排出部から遊技球が排出され得る第１特典遊技を実行し、前記第１種別とは異なる第２種別が設定された場合に前記可変入球手段に入球した遊技球が前記第１期間よりも長い第２期間で前記排出部から遊技球が排出され得る第２特典遊技を実行するものであり、前記条件設定手段は、前記第１特典遊技が実行される場合よりも、前記第２特典遊技が実行される場合のほうが、前記判定タイミングを遅らせて設定するものである。
よって、遊技異常の判別を効率良く実行することができるという効果がある。
技術的思想４記載の遊技機によれば、技術的思想３記載の遊技機の奏する効果に加え、次の効果を奏するものである。即ち、前記可変入球手段に入球した遊技球が、前記排出部から排出されるよりも前に通過可能な特定領域と、その特定領域を遊技球が通過した場合に、前記所定条件を切り替える条件切替手段を有するものである。
よって、遊技異常の判別を効率良く実行することができるという効果がある。
【手続補正１７】
【補正対象書類名】明細書
【補正対象項目名】３５４４
【補正方法】変更
【補正の内容】
【３５４４】
１０                        パチンコ機（遊技機）
１０６５０                  小当たり用入賞装置（可変入球手段）
１０６７７                  役物ルートＶ入賞口（特定領域）
Ｓ１３８１                  判定手段
Ｓ１７０７，Ｓ１７１４      報知手段の一部